(57)【要約】    【課題】  使用者が身体全体に充分にミストを浴びることができ、癒し効果やリラクゼーション効果を充分に享受することができるとともに、顔や頭髪にはミストが直接かからず使用感が良いミストシャワー装置を提供すること。また、ミストシャワー装置が配設される浴室等を円滑に暖めることができ利便性の良いミストシャワー装置を提供すること。    【解決手段】  浴室１に設置され霧状の湯水を噴出するミストシャワー装置１０に、霧状の湯水を噴出させる多数の噴出口１２を備え、噴出口１２のうち最上部の噴出口１２ａを、浴室１の床面２から高さ１２００〜１２５０ミリに配設した。また、噴出口１２を浴室１の床面２に対して鉛直方向に沿って配設した。    【選択図】    図２
2005103004.tif 000002
【特許請求の範囲】
【請求項１】
浴室に設置され霧状の湯水を噴出するミストシャワー装置であって、霧状の湯水を噴出させる複数個以上の噴出口を備えるとともに、前記噴出口のうち最上部の噴出口が、前記浴室の床面から高さ１２００〜１２５０ミリに配設されることを特徴とするミストシャワー装置。
【請求項２】
複数個以上備えられた前記噴出口を浴室等の床面に対してほぼ鉛直方向に沿って配設することを特徴とする請求項１に記載のミストシャワー装置。
【発明の詳細な説明】
【技術分野】
【０００１】
本発明は、浴室に設置され霧状の湯水を噴出するミストシャワー装置に関する。
【背景技術】
【０００２】
従来、浴室に設置され霧状の湯水（ミスト）を噴出するミストシャワー装置が知られている。ミストシャワー装置は、噴出するミストによりマイナスイオンを発生させて癒し効果やリラクゼーション効果をもたらしたり、高温水を噴出することにより浴室内をサウナ状態としたり、又は、気温の低い場合には浴室内を暖めて暖房を行うことができるシャワー装置である（例えば、特許文献１参照。）。
【０００３】
【特許文献１】特開平５−７６４５９号公報（図１、図２）
【発明の開示】
【発明が解決しようとする課題】
【０００４】
このような従来のミストシャワー装置では、浴室の床面からのミストの噴出口の高さが適当ではなく、ミストシャワー装置の高さが高すぎたり逆に低すぎるために、以下のような問題が生じていた。まず、使用者がミストを身体に浴びようとする場合には、噴出口の高さが高すぎる場合には使用者の顔や頭髪に直接ミストシャワーを浴びてしまい不快感がもたらされたり、目などに高温のミストが直接入るなど危険性も生ずる。また一方、噴出口の高さが低すぎる場合には肩の辺りまでにミストシャワーを浴びることができず体全体にミストシャワーを浴びることができないので充分な癒し効果やリラクゼーション効果を得られないという問題があった。また、浴室をサウナ状態にしたり、ミストによりあらかじめ浴室を暖房しておきたい場合にも、噴出口の高さが高すぎると、浴室を急いで暖めたい場合にも浴室の上方だけが暖まり床面に近い浴室下方がすぐには暖まらず、一方、噴出口の高さが低すぎると、浴室上方がすぐには暖まらないという問題もあった。
【０００５】
本発明は上記した従来のミストシャワー装置の問題点を解消するものであり、使用者が身体全体に充分にミストを浴びることができ、癒し効果やリラクゼーション効果を充分に享受することができるとともに、顔や頭髪にはミストが直接かからず使用感が良いミストシャワー装置を提供することを目的とする。また、ミストシャワー装置が配設される浴室等を円滑に暖めることができ利便性の良いミストシャワー装置を提供することも目的とする。
【課題を解決するための手段】
【０００６】
以上の課題を解決するために、本発明の採った手段を以下に説明する。本発明のミストシャワー装置は、「浴室に設置され霧状の湯水を噴出するミストシャワー装置であって、霧状の湯水を噴出させる複数個以上の噴出口を備えるとともに、前記噴出口のうち最上部の噴出口が、前記浴室の床面から高さ１２００〜１２５０ミリに配設されることを特徴とするミストシャワー装置。」（請求項１）である。
【０００７】
このようなミストシャワー装置とすることにより、使用者がその身体全体に万遍なくミストシャワーを浴びることができる。ミストシャワー装置を適切に使いこなせる程度の知識を有する小学６年生の平均身長を見ると、男子１４５．３センチメートル、女子１４７．１センチメートルである（2001/12/12  文部科学省  「平成１３年度学校保健統計調査速報」より）。そこで、ミストシャワー装置の最上部の噴出口の高さを床面から１２００ミリ〜１２５０ミリとすると、ミストシャワー装置を使いこなすことができる程度の小学６年生の平均的な身長において、肩口から身体下方にかけてミストシャワー装置のミストを充分に浴びることができるとともに、最上部の噴出口からのミストが顔や頭髪にまで直接かかるおそれは極めて少なく、ミストが顔などに直接かかることによる不快感はもたらされることなくミストシャワー装置の癒し効果及びリラクゼーション効果を充分に享受することができる。また、このように最上部の噴出口が１２００ミリ〜１２５０ミリに配設されれば、浴室の上下方向における最上部の噴出口の位置が浴室等のほぼ中間の高さとなり、霧状のミストが浴室の上方寄り又は下方寄りに偏ることが無く、浴室の暖房を行うのに極めて適切とすることができる。
【０００８】
また、上記ミストシャワー装置において、複数個以上備えられた前記噴出口を浴室等の床面に対してほぼ鉛直方向に沿って配設するものとすることもできる（請求項２）。
【０００９】
このように各噴出口を配設することにより、肩口から身体全体にかけてミストを充分に浴びることができるので、ミストシャワー装置の癒し効果及びリラクゼーション効果をより一層享受することができる。また、各噴出口の位置を浴室の上下方向において配列することにより、浴室内をより一層万遍なく暖めることができる。
【発明の効果】
【００１０】
本発明のミストシャワー装置は、上記のように、最上部の噴出口が浴室の床面から高さ１２００〜１２５０ミリに配設されることにより、使用感の良いミストシャワー装置とすることができる。また、浴室等を円滑に暖めることができ利便性の良いミストシャワー装置とすることができる。
【発明を実施するための最良の形態】
【００１１】
次に、本発明のミストシャワー装置の実施の形態を図を参考にして詳細に説明する。本発明のミストシャワー装置１０は、図１に示すように浴室１内の床面２から立設される壁面３に取り付けられており、図１の正面側、すなわち浴室１中央に向けて、上下方向に８個の噴出口１２が略一直線上に配設されている。また、ミストシャワー装置１０の右横近傍の壁面３には、後述するミストシャワー装置１０内に内蔵された電磁弁装置２４に接続された操作スイッチ５が設置されている。
【００１２】
図２及び図３に示すように、このミストシャワー装置１０は、ビス止めされて壁面３に固定されている。ミストシャワー装置１０には、その略全体を覆うカバー１４が取り付けられているが、そのカバー１４の背面側上部には、カバー１４内部に収容される止水栓１６の接続口１８が露呈される開口２０が設けられている。そして、この開口２０に挿通されて、壁面３裏側から引き回される配管４が止水栓１６の接続口１８に接続されている。
【００１３】
ミストシャワー装置１０本体には、上下方向に略一直線上に配設されて取付ベース１１に固定された止水栓１６、電磁弁装置２４、８個の噴出装置２６が備えられている。ミストシャワー装置１０の上部には、上記したように配管４に接続された止水栓１６が配設されており、この止水栓１６の操作により止水することにより、寒冷時の水抜きや、止水栓１６よりも二次側の各水栓部品のメンテナンス作業を行うことができる。また、カバー１４のうち、この止水栓１６を覆う部位の操作部カバー体２２は、カバー１４本体から取り外し可能に設けられており、カバー１４本体を取付ベース１１から取り外さなくとも、操作部カバー体２２を取り外すだけで止水栓１６の操作を可能とし、止水栓１６操作の利便性が図られている。
【００１４】
止水栓１６の下部には、止水栓１６に接続された電磁弁装置２４が配設されている。電磁弁装置２４は、上記した操作スイッチ５により開閉駆動されるものであり、電磁弁装置２４に接続されてその二次側に配設される噴出装置２６への湯水の供給・停止を行うものである。そして、電磁弁装置２４には、噴出装置２６が取り付けられた銅管２８が接続されている。
【００１５】
図２及び図４に示すように、銅管２８は、ミストシャワー装置１０の下方に向けて、ミストシャワー装置１０の前方寄りに配置される電磁弁装置２４の接続部２５からミストシャワー装置１０後方寄りに向けて緩やかに湾曲される湾曲部２９と、次いで取付ベース１１の表側に沿って下方に向けて直線上に延伸されたストレート部３０とから構成されている。ストレート部３０には、ミストシャワー装置１０正面側に向けて、８個の噴出装置２６が上下方向に略一直線上に配設されている。この噴出装置２６は銅管２８に各々連通接続されており、ノズル押さえ３２と、このノズル押さえ３２に対してノズル押さえ３２正面側においてその先端方向を自在に向けられるように自由担持されたノズル３４が備えられており、これらのノズル３４先端に、霧状のミストを噴出する小径の噴出口１２が設けられている。そして、ノズル３４の向きを変えることにより、噴出口１２から噴出されるミストの向きを所定の範囲内で変更することができる。なお銅管２８は、ストレート部３０の３カ所において固定金具３６によって取付ベース１１に固定されている。
【００１６】
図２に示すように、これらの噴出口１２のうちその最上部に位置する噴出口１２ａについては、床面２からの高さが１２００ミリメートルとなるように配設されている。この噴出口１２ａからのミストは、立った状態の使用者の肩付近に向けて適度な高さにて噴出させることができ、使用者の顔や頭髪に直接はミストがかかることはない。また、噴出口１２ａの他に７個の噴出口１２が下方に向けて配設されているので、肩口から股下周辺までの、ミストを浴びることによって癒し効果やリラクゼーション効果を効果的に得ることができる身体の部位に、充分にミストを浴びることができる。これらの各噴出口１２の間隔は５０ミリメートルに設けられており、最下部の噴出口１２ｂは床面２から８５０ミリメートルの高さに設けられている。また、このミストシャワー装置１０を用いて浴室１内をサウナ状態とするとき、又は気温が低い場合にあらかじめ浴室１内を暖めるために温水を噴出するときにも、適度な高さに設けられた噴出口１２により、浴室１の上下に渡って浴室１内を迅速に暖めることができる。
【００１７】
本実施の形態は上記のように構成されているが、本発明はこれに限られることなく、本発明の趣旨の範囲内で種々の変更が可能である。例えば、ミストシャワー装置１０には噴出口１２が８個備えられているが、他の数に変更することもできる。また、各噴出口１２の間隔を変更することも可能である。また、請求項１のミストシャワー装置においては、各噴出口が横に並べられるなど床面に対する鉛直方向以外に各噴出口が配設されるミストシャワー装置に適用することもできるが、使用者の肩から下方へかけてできる限り使用者の身体全体がミストを浴びることができ、使用感の良いミストシャワー装置とするためには、上記ミストシャワー装置１０のように、各噴出口１２を床面に対してほぼ鉛直方向に沿って配設することが好ましい。
【００１８】
また、上記ミストシャワー装置１０では、壁面３裏側から浴室１内に引き込まれる配管４に止水栓１６の位置を合わせて直接接続し、ミストシャワー装置１０の高さを位置決め固定して噴出口１２ａの床面からの高さを１２００ミリメートルとしているが、このような位置に配管４が引き込まれていない場合には、配管４の開口部から止水栓１６までを別の接続管を用いて接続し、噴出口１２ａの高さを１２００〜１２５０ミリメートルとなるようにしても良い。また、ミストシャワー装置１０本体に対して噴出口１２ａ自体の高さを調節可能に設けて、噴出口１２ａの高さを適宜調節することとしても良い。
【００１９】
また、本ミストシャワー装置１０は、その上方の止水栓１６から下方の各噴出口１２へ湯水を導くものとしているが、これに限られず、例えば、床面２裏側に配設された配管から床面２上方に設置されたミストシャワー装置に湯水を供給し、上方の各噴出口から湯水を噴出させるミストシャワー装置に適用することもできる。また、壁面３に取り付けられるミストシャワー装置１０に限られず床面２に直接立設されるミストシャワー装置や、天井面からつり下げられるミストシャワー装置などに適用することもできる。
【図面の簡単な説明】
【００２０】
【図１】本実施の形態に係るミストシャワー装置の斜視図である。
【図２】本実施の形態に係るミストシャワー装置の側面視縦断面図である。
【図３】本実施の形態に係るミストシャワー装置の正面視一部破断面図である。
【図４】本実施の形態に係るミストシャワー装置本体の一部斜視図である。
【符号の説明】
【００２１】
１；浴室、２；床面、３；壁面、４；配管、５；操作スイッチ、１０；ミストシャワー装置、１１；取付ベース、１２；噴出口、１４；カバー、１６；止水栓、１８；接続口、２０；開口、２２；操作部カバー体、２４；電磁弁装置、２５；接続部、２６；噴出装置、２８；銅管、２９；湾曲部、３０；ストレート部、３２；ノズル押さえ、３４；ノズル、３６；固定金具。
【図１】
2005103004.tif 000003
【図２】
2005103004.tif 000004
【図３】
2005103004.tif 000005
【図４】
2005103004.tif 000006